(57)【要約】      （修正有）【課題】板ガラスの中央部分に損傷が発生されない状態で板ガラスが搬送されるようにする。【解決手段】作業台１０と、上板９の長さ方向にエア吐出孔２４が設けられた第１エア浮上部と、前記第１エア浮上部と直角で交差配置されて前記上板９の幅方向に沿ってエア吐出孔３４が設けられた第２エア浮上部と、上、下回動される回動手段と、上、下に昇降される昇降手段と、前記板ガラスを長さ方向に搬送する二重ローラーを備えた第１ローラー支持部及び第２ローラー支持部が前記回動手段及び前記昇降手段に支持されて互いに対向されるように配置される搬送方向ローラー部と６０ａ、前記板ガラスを幅方向に搬送する二重ローラーを備えた第１ローラー支持部６０−１、６０−３及び第２ローラー支持部６０−２、６０−４が前記回動手段及び前記昇降手段に支持されて互いに対向されるように配置される方向転換ローラー部６０ｂと、から構成される。【選択図】図１
2011225377.tif 000002
【特許請求の範囲】
【請求項１】
四角のフレーム状の作業台１０と、第１エア浮上部２０と、第２エア浮上部３０と、回動手段４０と、昇降手段５０と、搬送方向ローラー部６０ａと、方向転換ローラー部６０ｂと、で構成される板ガラス搬送装置であって、
前記第１エア浮上部２０には、前記作業台１０上部の幅方向の両側に中空型エアチェンバー２１が設けられ、該中空型エアチェンバー２１にエアを発生させるエアファン２２と、該エアファン２２の上部に異物を濾すためのフィルター２３と、前記エアチェンバー２１の上面に密着されて上板９と、が設けられるとともに、該上板９に該中空型エアチェンバー２１の長さ方向にエアを吐出させるエア吐出孔２４が設けられ、
前記第２エア浮上部３０には、前記上板９の幅方向に沿って前記第１エア浮上部２０と直角に交差してエアチェンバー３１が設けられ、該エアチェンバー３１にエアを発生させるエアファン３２と、該エアファン３２の上部に異物を濾すためのフィルター３３と、が設けられとともに、該上板９に該中空型エアチェンバー２１の長さ方向にエアを吐出させるエア吐出孔３４が設けられ、
前記回動手段４０が、前記作業台１０上部のフレーム部に沿って一定間隔で固定設置されて、上、下に回動され、
前記昇降手段５０が、前記回動手段４０と対向されるように前記作業台１０の上部のフレーム近くに固定設置されて、上、下に昇降され、
前記搬送方向ローラー部６０ａが、前記板ガラス５を長さ方向に搬送する二重ローラー６２が設けられた第１ローラー支持部６０-１及び第２ローラー支持部６０-２から構成されていて、前記第１ローラー支持部６０-１及び前記第２ローラー支持部６０-２が、前記作業台１０の長さ方向のフレームに設置された前記回動手段４０と前記昇降手段５０とに支持されて互いに対向されるように配置され、かつ、
前記方向転換ローラー部６０ｂが、前記板ガラス５を幅方向に搬送する二重ローラー６２が設けられた第１ローラー支持部６０-３及び第２ローラー支持部６０-４から構成されていて、前記第１ローラー支持部６０-３及び前記第２ローラー支持部６０-４が、前記作業台１０の長さ方向フレームに設置された前記回動手段４０と前記昇降手段５０とに支持されて互いに対向されるように配置されている
ことを特徴とする板ガラス搬送装置。
【請求項２】
前記搬送方向ローラー部６０ａと方向転換ローラー部６０ｂには、前記ローラー支持部６０-１、６０-２、６０-３、６０-４の前面に複数個の回転軸６１がそれぞれ形成され、前記二重ローラー６２が前記回転軸６１に結合され、前記昇降手段５０によって前記回転軸６１下部に形成された支持突部６３が支持され、かつ、前記ローラー支持部の底面が前記回動手段４０に支持されていることを特徴とする第１項に記載の板ガラス搬送装置。
【請求項３】
前記二重ローラー６２には、走行方向ホイール６２ａが、前記回転軸６１に結合され軸回転されて前記走行方向ホイール６２ａの外周面に沿って複数のアイドルローラ６２ａ-１が結合され軸回転されるとともに、前記走行方向ホイール６２ａに走行方向ホイール６２ｂが密着されるように結合され軸回転されて、複数のアイドルローラ６２ｂ-１が前記走行方向ホイール６２ｂの外周面に沿って結合され回転され、かつ、前記複数のアイドルローラ６２ｂ-１が回転軸方向に対して前記複数のアイドルローラ６２ａ-１と互い違いに並列されるように配列されていることを特徴とする第１項または第２項に記載の板ガラス搬送装置。
【請求項４】
前記回動手段４０には、前記作業台１０のフレーム部に固定ジグ４１が固定して設置されて、前記固定ジグ４１に支持板部４２がヒンジ４３に上、下に回動可能に結合されているとともに、前記搬送方向ローラー部６０ａと方向転換ローラー部６０ｂの底面がそれぞれ該支持板部４２で支持されていることを特徴とする第１項に記載の板ガラス搬送装置。
【請求項５】
前記昇降手段５０には、前記作業台１０上部のフレーム近くに前記回動手段４０と対向するように昇降シリンダー５１が設けられて、前記昇降シリンダー５１に昇降するシリンダーロッド５２が結合されるとともに、該シリンダーロッド５２の一端に支持板部５３が形成されて、前記搬送方向ローラー部６０ａと方向転換ローラー部６０ｂの支持突部６３がそれぞれ該支持板部５３で支持されていることを特徴とする第１項に記載の板ガラス搬送装置。
【請求項６】
前記第１エア浮上部２０のエア吐出孔２４が、両側に長さ方向に沿って離隔されて連続して形成されるとともに、前記第２エア浮上部３０のエア吐出孔３４が、幅方向に連続形成され、そして、前記第１エア浮上部２０の長さ方向に一定間隔で離隔された複数とされていることを特徴とする第１項に記載の板ガラス搬送装置。
【請求項７】
前記エア浮上部２０、３０には、エアが集中して飽和しないようにエアを下方に漏出させるエア漏出孔９ａが、前記上板９の中央にさらに設けられていることを特徴とする第１項に記載の板ガラス搬送装置。
【発明の詳細な説明】
【技術分野】
【０００１】
本発明は板ガラス搬送装置（Apparatus for transferring of glass panel）に関し、より詳しくは、中央のエア浮上部の幅方向の搬送方向ローラー部と長さ方向の方向転換ローラー部が設けられ、方向転換ローラー部がエア浮上部側にティルティングされて板ガラスを進入させ、エアで浮上された板ガラスが二重ローラーによって搬送及び方向転換作業を行うことができる板ガラス搬送装置に関する。
【背景技術】
【０００２】
一般的に板ガラス搬送装置とは、ＬＣＤやＰＤＰ等に使用されるれる薄板型板ガラスの不良可否を検査するための検査装備上で、板ガラスを検査部方に搬送させるために使用されたり、または、板ガラス製作工程の中で適切に板ガラスを搬送させるために使用されるなど、多様な目的に向けて、板ガラスを搬送させる装置である。
【０００３】
また、板ガラスなどの薄いパネルの搬送に使用される装備としては、ローラー駆動を利用したローラー搬送装置がある。このようなローラー搬送装置においては、板ガラスの底面がローラーに密着された状態でローラーの回転操作によって板ガラスが搬送されて、該板ガラスが進入される方向に形成された二重ローラーと交差されるように形成されている二重ローラーによって、該板ガラスの搬送方向が転換されるようになっていた。
【発明の概要】
【発明が解決しようとする課題】
【０００４】
しかし、前記のようなローラー搬送装置は、板ガラスの底面がローラーに密着された状態でローラーの回転操作によってのみ搬送されるので、板ガラスとローラーとの摩擦などによる板ガラス表面に損傷が生じやすくなり、また、最近、板ガラスが大型化になってローラーに加えられる板ガラスの荷重が大きくなり、その結果、搬送速度が遅くなることはもちろん、板ガラス表面にスクラッチなどの損傷発生が多くなっていた。板ガラス搬送以外に方向を転換させようとする場合には、別の方向転換装置がさらに追加されなければならないので、装置が複雑になることはもちろん、これによって費用が上昇し、板ガラスの搬送作業も難しくなるなどの問題点があった。
【０００５】
本発明は前述したような問題点を解決することを目的としている。即ち、本発明は、エア浮上部と二重ローラーが設けられた搬送方向ローラー部と方向転換ローラー部を設けられて、板ガラスの進入時に方向転換ローラー部をティルティングさせて板ガラスを進入させ、中央部がエア浮上された板ガラスを二重ローラーで搬送させる方式によって、板ガラスの中央部分に損傷が発生されない状態で板ガラスが搬送されるようにする板ガラス搬送装置を提供することを目的としている。
【課題を解決するための手段】
【０００６】
このような前記目的を達成するための本発明の板ガラス搬送装置は、四角フレーム状の作業台と、前記作業台上部の幅方向の両方で設置された中空型エアチェンバーにエアを発生させるエアファンが設置されて前記エアファン上部に異物を濾すためのフィルターが設けられ、さらに、前記エアチェンバーの上面と密着される上板の長さ方向にエア吐出孔が形成されている第１エア浮上部と、前記第１エア浮上部と直角で交差配置されて、前記上板の幅方向に沿ってエア吐出孔が形成されて、前記エア吐出孔底面に密着設置されてエアを発生させるエアファンが設置されたエアチェンバーが設けられ、前記エアファン上部に異物を濾すためのフィルターが設けられている第２エア浮上部と、前記作業台上部のフレーム部に沿って一定間隔で固定設置されて上、下に回動される回動手段と、前記回動手段と対向するように前記作業台上部のフレーム近くに固定設置されて上、下で昇降される昇降手段と、前記板ガラスを長さ方向に搬送する二重ローラーが設けられた第１ローラー支持部と第２ローラー支持部と、から構成され、さらに、前記第１ローラー支持部と前記第２ローラー支持部が前記作業台の長さ方向のフレームに設置された回動手段と前記昇降手段に支持されて互いに対向するように配置される搬送方向ローラー部と、前記板ガラスを幅方向に搬送する二重ローラーを具備する第１ローラー支持部と第２ローラー支持部と、から構成され、前記第１ローラー支持部と前記第２ローラー支持部が前記作業台の長さ方向フレームに設置された回動手段と前記昇降手段に支持されて互いに対向するように配置される方向転換ローラー部と、から構成されていることを特徴とする。
【０００７】
また、本発明による板ガラス搬送装置において、前記搬送方向ローラー部と方向転換ローラー部が、前記ローラー支持部間前面に長さ方向に沿って複数個の回転軸が形成されていて、前記回転軸に前記二重ローラーが結合されて前記回転軸下部に形成された支持突部が前記昇降手段で支持され、底面が前記回動手段に支持されることを特徴とする。
【０００８】
また、本発明による板ガラス搬送装置において、前記二重ローラーは走行方向ホイールＡが前記回転軸に結合されて軸回転され、前記走行方向ホイールＡの外周面に沿って結合された複数のアイドルローラＡが直交方向に軸回転され、走行方向ホイールＢが前記走行方向ホイールＡと密着されるように結合されて軸回転され、前記走行方向ホイールＢの外周面に沿って結合された複数のアイドルローラＢが回転軸方向に対して前記アイドルローラＡと行き違うように配列されて回転されることを特徴とする。
【０００９】
また、本発明による板ガラス搬送装置において、前記回動手段は前記作業台のフレーム部に固定ジグが固定設置され、前記固定ジグに支持板部が上、下回動可能にヒンジ結合されて前記搬送方向ローラー部と方向転換ローラー部の底面を支持することを特徴とする。
【００１０】
また、本発明による板ガラス搬送装置において、前記昇降手段は前記回動手段と対向されるように前記作業台上部のフレーム近くに昇降シリンダーが設置されており、前記昇降シリンダーに結合されて昇降されるシリンダーロッドが結合されており、前記シリンダーロッドの一端に前記搬送方向ローラー部と方向転換ローラー部の支持突部を支持する支持板部が形成されていることを特徴とする。
【００１１】
また、本発明による板ガラス搬送装置において、前記第１エア浮上部のエア吐出孔は両方の末端に離隔されるように一対から成り立って長さ方向に沿って連続形成され、前記第２エア浮上部のエア吐出孔は幅方向に連続形成されて前記第１エア浮上部の長さ方向に一定間隔で離隔されるように複数個から成ることを特徴とする。
【００１２】
また、本発明による板ガラス搬送装置において、前記第１エア浮上部と第２エア浮上部は前記上板中央にエアが集中飽和されないようにエアを下方に漏出させるためのエア漏出孔をさらに具備することを特徴とする板ガラス搬送装置。
【発明の効果】
【００１３】
以上のように、本発明による板ガラス搬送装置は、エア浮上部とローラー駆動部を設けられて板ガラスをエア浮上させた状態で二重ローラーで搬送することによって、板ガラス中央部分に対する損傷をあらかじめ防止することができるようにして板ガラスの活用度を極大化させることができ、また、搬送方向ローラー部と方向転換ローラー部を通じて板ガラスの搬送とともに方向転換も可能になるようにすることによって、別の方向転換のための装置のなしに方向転換構造が簡素化されて装置の信頼性が向上することはもちろん、二重ローラーを通じる迅速な搬送によって全般的に作業能率も向上するなどの効果を得る。
【図面の簡単な説明】
【００１４】
【図１】本発明による板ガラス搬送装置を示す全体斜視図である。
【図２】本発明による二重ローラーの構造を示す斜視図である。
【図３】本発明による板ガラス搬送装置の概略断面図である。
【図４ａ】本発明による板ガラス搬送装置の使用状態を示す概略図である。
【図４ｂ】本発明による板ガラス搬送装置の使用状態を示す概略図である。
【図４ｃ】本発明による板ガラス搬送装置の使用状態を示す概略図である。
【発明を実施するための形態】
【００１５】
以下、本発明の実施例を添付の図面を参照してもっと詳しく説明する。
【００１６】
図１は本発明による板ガラス搬送装置を示す斜視図であり、図２は板ガラスを搬送する二重ローラーを示す分解斜視図であり、図３は図１の側断面図であり、図４ａないし図４ｃは本発明による板ガラス搬送装置の使用状態を示す図面である。
【００１７】
四角フレーム状の作業台１０は上部に前記第１エア浮上部２０、第２エア浮上部３０、回動手段４０及び昇降手段５０を具備して支持する。
【００１８】
第１エア浮上部２０は前記作業台１０上部の両方に設置された中空型エアチェンバー２１にエアを発生させるエアファン２２が設置され、前記エアファン２２上部に異物を濾すためのフィルター２３が具備され、前記エアチェンバー２１の上面と密着される上板９の長さ方向にエア吐出孔２４が形成されている。
【００１９】
前記第１エア浮上部２０のエア吐出孔２４は両方の末端に離隔されるように一対から成って長さ方向に沿って連続形成される。
【００２０】
前記第１エア浮上部２０は両端部分の作業台上部に設置されて前記第１エア浮上部２０のエアチェンバー２１内部に設置されているエアファン２２が可動されると、前記エアファン２２で発生されるエアが前記エア吐出孔２４を通過して前記板ガラス５の両端部分の底面に吐出されて進入または搬送中の板ガラス５がエア浮上するようになる。
【００２１】
前記第１エア浮上部２０は前記エアチェンバー２３のエアファン２２上部にフィルター２３が具備されて異物を濾す。
【００２２】
第２エア浮上部３０は前記第１エア浮上部２０と直角で交差配置され、前記上板９の幅方向に沿ってエア吐出孔３４が形成されており、前記エア吐出孔３４底面に密着設置されてエアを発生させるエアファン３２が設置されたエアチェンバー３１を具備し、前記エアファン３２上部に異物を濾すためのフィルター３３が具備されている。
【００２３】
前記第２エア浮上部３０のエア吐出孔３４は幅方向に連続形成されて前記第１エア浮上部２０の長さ方向に一定間隔で離隔されるように複数個から成るように形成されている。
【００２４】
前記第２エア浮上部３０は前記作業台１０上部の中央部分に長さ方向に一定間隔で離隔されるように複数個設置されて、前記第２エア浮上部３０のエアチェンバー３１内部に設置されているエアファン３２が可動されると、前記エアファン３２で発生されるエアが前記エア吐出孔３４を通過して前記板ガラス５の中央部分の底面に吐出されて進入または搬送中の板ガラス５の中央部がエア浮上するようになる。
【００２５】
前記第２エア浮上部３０は前記エアチェンバー３１のエアファン３２上部にフィルター３３が具備されて異物を濾す。
【００２６】
前記第２エア浮上部３０のエア吐出孔３４は幅方向に連続形成されて前記第１エア浮上部２０の長さ方向に一定間隔で離隔されるように複数個から成るように形成されている。
【００２７】
前記エア浮上部２０、３０は、前記上板９中央にエアが集中飽和されないようにエアを下方に漏出させるためのエア漏出孔９ａがさらに具備される。
【００２８】
前記エア浮上部２０、３０は、エア吐出孔２４、３４を通じて吐出されたエアが前記上板９に形成されたエア漏出孔９ａを通じて排出されて前記板ガラス５と前記エア浮上部２０、３０ の間に空気の流れを円滑になるようにする。
【００２９】
回動手段４０は、前記作業台１０上部のフレーム部に沿って一定間隔で固定設置されて上、下に回動されるように形成されている。
【００３０】
前記回動手段４０は、前記作業台１０のフレーム部に固定ジグ４１が固定設置され、前記固定ジグ４１に支持板部４２が上、下回動可能にヒンジ４３結合されて前記搬送方向ローラー部６０ａと方向転換ローラー部６０ｂの底面を支持するように形成されている。
【００３１】
昇降手段５０は、前記回動手段４０と対向されるように前記作業台１０上部のフレーム近くに固定設置されて上、下に昇降するように形成されている。
【００３２】
前記昇降手段５０は前記回動手段４０のゴジングジグ４１と対向されるように、前記作業台１０の上部に昇降シリンダー５１が設置され、前記昇降シリンダー５１に結合されて昇降されるシリンダーロッド５２が結合されており、前記シリンダーロッド５２の一端に前記搬送方向ローラー部６０ａと方向転換ローラー部６０ｂの支持突部６３を支持する支持板部５３が形成されている。
【００３３】
前記搬送方向ローラー部６０ａと方向転換ローラー部６０ｂの支持突部６３を支持する昇降手段５０が昇降移動されることによって前記搬送方向ローラー部６０ａと方向転換ローラー部６０ｂの底面を支持する前記回動手段４０が上、下回動されて前記搬送方向ローラー部６０ａと方向転換ローラー部６０ｂが傾くようになる。
【００３４】
搬送方向ローラー部６０ａは、前記板ガラス５を長さ方向に搬送する二重ローラー６２を具備した第１ローラー支持部６０-１と第２ローラー支持部６０-２から構成され、前記第１ローラー支持部６０-１と前記第２ローラー支持部６０-２は、前記作業台１０の長さ方向フレームに設置された回動手段４０と前記昇降手段５０に支持されて、互いに対向されるように配置されている。
【００３５】
前記搬送方向ローラー部６０ａは進入される前記板ガラス５の幅方向の両端を支えて前方または後方に搬送する。
【００３６】
方向転換ローラー部６０ｂは、前記板ガラス５を幅方向に搬送する二重ローラー６２を具備した第１ローラー支持部６０-３と第２ローラー支持部６０-４から構成され、前記第１ローラー支持部６０-３と前記第２ローラー支持部６０-４は、前記作業台１０の長さ方向フレームに設置された回動手段４０と前記昇降手段５０に支持されて互いに対向されるように配置されている。
【００３７】
前記方向転換ローラー部６０ｂは、板ガラス５の進入時、第１ローラー支持部６０-３が傾いて前記板ガラス５が進入され、進入された板ガラス５の長さ方向の両端を前記方向転換ローラー部６０ｂが支えて左側または右側に搬送する。
【００３８】
前記搬送方向ローラー部６０ａと方向転換ローラー部６０ｂは前面に長さ方向に沿って複数個の回転軸６１が形成されていて、前記回転軸６１に前記二重ローラー６２が結合されており、前記回転軸６１下部に形成された支持突部６３が前記昇降手段５０で支持され、底面が前記回動手段４０に支持されるように形成されている。
【００３９】
前記搬送方向ローラー部６０ａと方向転換ローラー部６０ｂは、前記二重ローラー６２の走行方向ホイール６２ａが前記回転軸６１に結合されて軸回転され、前記走行方向ホイール６２ａの外周面に沿って結合された複数のアイドルローラ６２ａ-１が直交方向にで軸回転され、走行方向ホイール６２ｂが前記走行方向ホイール６２ａと密着されるように結合されて軸回転され、前記走行方向ホイール６２ｂの外周面に沿って結合された複数のアイドルローラ６２ｂ-１が回転軸方向に対して前記アイドルローラ６２ａ-１と行き違うように配列されて回転されるように形成されている。
【００４０】
前記搬送方向ローラー部６０ａと方向転換ローラー部６０ｂは、板ガラス５が前、後方に搬送時、前記搬送方向ローラー部６０ａの回転軸６１に結合された前記二重ローラー６２が軸回転され、前記方向転換ローラー部６０ｂの回転軸６１に結合された二重ローラー６２が停止された状態で前記二重ローラー６２の外周面に軸結合されたアイドルローラＡ(６２ａ-１)、Ｂ(６２ｂ-１)が軸回転されて前記板ガラス５が前、後に搬送されるようになる。
【００４１】
前記搬送方向ローラー部６０ａと方向転換ローラー部６０ｂは、進入された板ガラス５が左、右側に搬送時、前記方向転換ローラー部６０ｂの回転軸６１に結合された前記二重ローラー６２が軸回転され、前記搬送方向ローラー部６０ａの回転軸６１に結合された二重ローラー６２が停止された状態で前記二重ローラー６２の外周面に軸結合されたアイドルローラＡ(６２ａ-１)、Ｂ(６２ｂ-１)が軸回転されて前記板ガラス５が左、右に搬送されるようになる。
【００４２】
前記のように構成される本発明による板ガラス搬送装置は次のように使用される。
【００４３】
まず、前記板ガラス５が進入されると、前記作業台１０上部に方向転換ローラー部６０ｂの第１ローラー支持部６０-３が傾いて前記板ガラス５が進入され、前記第１エア浮上部２０が前記板ガラス５の幅方向の両端部分に底面にエアを吐出して前記板ガラス５を支えることと同時に前記第２エア浮上部３０が前記板ガラス５の中央部分に底面にエアを吐出して前記板ガラス５を支える状態で前記板ガラス５が前記作業台１０上部の搬送方向ローラー部６０ａの二重ローラー６２によって前方に搬送され、エア浮上された状態で前記搬送方向ローラー部６０ａによって進入された前記板ガラス５を前方に搬送時、前記搬送方向ローラー部６０ａの二重ローラー６２が連続動作して、前記板ガラス５を前方に排出させるようになり、進入された前記板ガラス５が左、右側に搬送時、前記搬送方向ローラー部６０ａの二重ローラー６２が停止され、前記方向転換ローラー部６０ｂの二重ローラー６２が動作して前記板ガラス５を左、右側に搬送して排出するようになる。
【００４４】
この時、前記方向転換ローラー部６０ｂの第１ローラー支持部６０-３は前記作業台１０上部に設置されている回動手段４０の支持板部４２に底面が支えられて支持され、前記第１ローラー支持部６０-３の支持突部６３が前記回動手段４０と対向されるように設置されている昇降手段５０の支持板部５３で支持され、前記昇降手段５０のシリンダー５１に結合されているシリンダーロッド５２が昇降移動することによって前記第１ローラー支持部６０-３が昇降移動され、前記回動手段４０の固定ジグ４１にヒンジ４３結合されている支持板部４２が上、下回動されて前記第１ローラー支持部６０-３が傾くようになる。
【００４５】
また、前記第１ローラー支持部６０-３が傾いている状態で前記板ガラス５が進入される時、前記回転軸６１に結合されている二重ローラー６２は停止状態であり、前記二重ローラー６２の外周面に沿って結合されているアイドルローラＡ(６２ａ-１)、Ｂ(６２ｂ-１)が軸回転され、前記搬送方向ローラー部６２ａの二重ローラー６２が前記板ガラス５の進入方向に対して軸回転されて前記板ガラス５が進入されるようになる。
【００４６】
一方、前記第１エア浮上部２０は、エアチェンバー２１内部に設置されているエアファン２２で発生されたエアが前記フィルター２３を通過してエア吐出孔２４を通じて吐出されて前記板ガラス５の両端部分に底面をエア浮上させるようになる。
【００４７】
また、前記第２エア浮上部３０は、エアチェンバー３１内部に設置されているエアファン３２で発生されたエアが前記フィルター３３を通過してエア吐出孔３４を通じて吐出されて前記板ガラス５の中央部分に底面をエア浮上させるようになる。
【００４８】
エア浮上された状態で進入される前記板ガラス５は、前記搬送方向ローラー部６０ａの回転軸６１に結合されている走行方向ホイール６２ａと走行方向ホイール６２ｂが一体で回転されて前記板ガラス５を前、後方に搬送させ、前記方向転換ローラー部６０ｂの回転軸６１に結合されている走行方向ホイール６２ａと走行方向ホイール６２ｂの駆動が停止された状態で、前記走行方向ホイール６２ａと走行方向ホイール６２ｂの外周面に結合されているアイドルローラＡ、Ｂ(６２ａ-１、６２ｂ-１)が回転されて前記板ガラス５を搬送するようになる。
【００４９】
また、エア浮上された状態に進入された前記板ガラス５は、前記方向転換ローラー部６２ｂの回転軸６１に結合されている走行方向ホイール６２ａと走行方向ホイールＢ６０ｂが一体で回転されて前記板ガラス５を左、右側に搬送させ、前記搬送方向ローラー部６２ａの回転軸６１に結合されている走行方向ホイール６２ａと走行方向ホイール６２ｂの駆動が停止された状態で前記走行方向ホイール６２ａと走行方向ホイール６２ｂの外周面に結合されているアイドルローラＡ(６２ａ-１)、Ｂ(６２ｂ-１)が回転されて前記板ガラス５を搬送するようになる。
【００５０】
また、前記搬送方向ローラー部６０ａの第１ローラー支持部６０-１に具備された二重ローラー６２が前方に軸回転し、前記第２ローラー支持部６０-２に具備された二重ローラー６２が後方に軸回転し、前記方向転換ローラー部６０ｂの第１ローラー支持部６０-３に具備された二重ローラー６２が左側方向に軸回転し、前記第２ローラー支持部６０-４に具備された二重ローラー６２が右側方向に軸回転するようにすると、前記板ガラス５が回転されて前記板ガラス５を９０度に回転させることができる。
【００５１】
本発明の板ガラス搬送装置では、前記板ガラス５が進入される方向を図面に示すように一方向に限定したが、使用者の必要によって進入方向を自由に選択して使用することができ、前記板ガラス５の進入方向によって前記搬送方向ローラー部６０ａと前記方向転換ローラー部６０ｂの作動手順が変わることができる。
【００５２】
以上のように、本発明は前記の望ましい実施例によって説明したが、このような実施例を従来の公知技術と単純に組合適用した変形例にはもちろん、本発明の特許請求範囲と詳細な説明で本発明が属する技術分野の当業者が容易に変更して利用することができるすべての技術は本発明の技術範囲に含まれることは当然である。
【符号の説明】
【００５３】
５    板ガラス
９    上板
９ａ    エア漏出孔
１０    作業台
２０    第１エア浮上部
２１、３１    エアチェンバー
２２、３２    エアファン
２３、３３    フィルター
２４、３４    エア吐出孔
３０    第２エア浮上部
４０    回動手段
４１    固定ジグ
４２、５３    支持板部
４３    ヒンジ
５０    昇降手段
５１    シリンダー
５２    シリンダーロッド
６０ａ    搬送方向ローラー部
６０-１、６０-３    第１ローラー支持部
６０-２、６０-４    第２ローラー支持部
６０ｂ    方向転換ローラー部
６１    回転軸
６２    二重ローラー
６２Ａ    走行方向ホイールＡ
６２ａ-１    アイドルローラＡ
６２Ｂ    走行方向ホイールＢ
６２ｂ-１    アイドルローラＢ
６３    支持突部
【図１】
2011225377.tif 000003
【図２】
2011225377.tif 000004
【図３】
2011225377.tif 000005
【図４ａ】
2011225377.tif 000006
【図４ｂ】
2011225377.tif 000007
【図４ｃ】
2011225377.tif 000008